(57)【要約】【課題】体型やバスト形状の変化に対応しカップの浮きやズレを軽減することができ、腕を動かしたときに生じる脇つれを防止することができるカップ付アウター兼インナーを提供する。【解決手段】左右一対のカップ部と、これら左右カップ部を連結する中央支持布と、前記カップ部の左右の縁部からそれぞれ横方向に延びる左右一対の伸縮性の脇布と、左右一対の伸縮性のサイドリフト布と、身頃本体とを有してなり、前記左右一対のサイドリフト布は、幅方向の長さの略半分の長さで左右のカップ部の少なくとも脇側１／３程度を表面側から覆うとともにカップ部に縫着されており、前記身頃本体は、前記サイドリフト布に対して着用者の肩近傍のみで縫着されていることを特徴とするカップ付アウター兼インナーとする。【選択図】図２
2014125716.tif 000002
【特許請求の範囲】
【請求項１】
左右一対のカップ部と、これら左右カップ部を連結する中央支持布と、前記カップ部の左右の縁部からそれぞれ横方向に延びる左右一対の伸縮性の脇布と、左右一対の伸縮性のサイドリフト布と、身頃本体とを有してなり、
前記左右一対のサイドリフト布は、幅方向の長さの略半分の長さで左右のカップ部の少なくとも脇側１／３程度を表面側から覆うとともにカップ部に縫着されており、
前記身頃本体は、前記サイドリフト布に対して着用者の肩近傍のみで縫着されていることを特徴とするカップ付アウター兼インナー。
【請求項２】
左右の脇布を連結するとともに着用者の背中の略上半分領域を覆うように配されたバック布を備えることを特徴とする請求項１記載のカップ付アウター兼インナー。
【請求項３】
前記中央支持布の一端部から背中部を介して他端部を連結するように前記脇布及び／又は前記バック布の下部にストレッチテープが配されていることを特徴とする請求項１又は２記載のカップ付アウター兼インナー。
【発明の詳細な説明】
【技術分野】
【０００１】
本発明は、体型やバスト形状の変化に対応しカップの浮きやズレを軽減することができるカップ付アウター兼インナーに関するものである。
【背景技術】
【０００２】
女性用衣服の種類として、アウターウエアとして着用可能なインナーウエア、すなわちアウター兼インナーが知られている。近年、この種のインナーとしてカップ部を一体化したものが多く製造されている（例えば、特許文献１および特許文献２）。
【０００３】
これら従来のカップ付インナーにおいては、カップ部が身頃本体（表生地）に直接固定されており、体の動きや体型又はバスト形状の変化により、カップ部が浮いたりずり上がったりするという問題があった。また、バストのホールド感がない、バストが下がる、胸や脇が下へ流れる、バストの位置が合わない、バストにカップが乗っかる、カップが大きく目立ちすぎる、カップシルエットが不自然などといったバスト周りの不満点があった。
さらに、従来のカップ付インナーは、カップ部がアームホールで身頃本体に固定されているものが多く、腕を前又は上方向に動かしたとき等に、アームホールが前方向へ引っ張られ、これに伴い脇がつれてしまうことがあった。
【先行技術文献】
【特許文献】
【０００４】
【特許文献１】特開２００９−５２１７３号公報
【特許文献２】特開２００３−１９３３０２号公報
【発明の開示】
【発明が解決しようとする課題】
【０００５】
本発明は、上述したような問題点を解決すべくなされたものであって、体型やバスト形状の変化に対応しカップの浮きやズレを軽減することができ、腕を動かしたとき等に生じる脇つれを防止することができるカップ付アウター兼インナーを提供するものである。
【課題を解決するための手段】
【０００６】
請求項１に係る発明は、左右一対のカップ部と、これら左右カップ部を連結する中央支持布と、前記カップ部の左右の縁部からそれぞれ横方向に延びる左右一対の伸縮性の脇布と、左右一対の伸縮性のサイドリフト布と、身頃本体とを有してなり、前記左右一対のサイドリフト布は、幅方向の長さの略半分の長さで左右のカップ部の少なくとも脇側１／３程度を表面側から覆うとともにカップ部に縫着されており、前記身頃本体は、前記サイドリフト布に対して着用者の肩近傍のみで縫着されていることを特徴とするカップ付アウター兼インナーに関する。
【０００７】
請求項２に係る発明は、左右の脇布を連結するとともに着用者の背中の略上半分領域を覆うように配されたバック布を備えることを特徴とする請求項１記載のカップ付アウター兼インナーに関する。
【０００８】
請求項３に係る発明は、前記中央支持布の一端部から背中部を介して他端部を連結するように前記脇布及び／又は前記バック布の下部にストレッチテープが配されていることを特徴とする請求項１又は２記載のカップ付アウター兼インナーに関する。
【発明の効果】
【０００９】
請求項１に係る発明によれば、左右一対のサイドリフト布が幅方向の長さの略半分の長さで左右のカップ部の少なくとも脇側１／３程度を表面側から覆うとともにカップ部に縫着されており、身頃本体は、サイドリフト布に対して着用者の肩近傍のみで縫着されていることにより、体型やバスト形状の変化に対応し、無理なくバストにフィットしてカップの浮きやズレを軽減することができ、さらにバストをしっかり寄せて内向きにホールドすることができる。また、カップ部を身頃本体に対しサイドリフト布を介して着用者の肩近傍のみで固定し、カップ部がアームホール下部において身頃本体と遊離しているため、腕を動かしたとき等に生じる脇つれを防止することができる。
カップ部の左右の縁部からそれぞれ横方向に延びる左右一対の伸縮性の脇布と、この脇布に連結されカップ部と縫着されたサイドリフト布とにより、体の動きに添いながらカップ脇側を面で支え、安定したフィット感を実現することができる。
【００１０】
請求項２に係る発明によれば、左右の脇布を連結するとともに着用者の背中の略上半分領域を覆うように配されたバック布を備えることにより、着用者の背中部の汗対策とすることができる。
【００１１】
請求項３に係る発明によれば、中央支持布の一端部から背中部を介して他端部を連結するように脇布及び／又はバック布の下部にストレッチテープが配されていることにより、アンダーの締付感を軽減しつつ安定したフィット感を提供することができる。
【図面の簡単な説明】
【００１２】
【図１】本発明に係るカップ付アウター兼インナーの身頃本体を除く部分の斜視図である。
【図２】本発明に係るカップ付アウター兼インナーの前側斜視図である。
【図３】本発明に係るカップ付アウター兼インナーの後側斜視図である。
【図４】本発明に係るカップ付アウター兼インナーを着用した時の正面図である。
【図５】本発明に係るカップ付アウター兼インナーを着用した時の側面図である。
【図６】本発明に係るカップ付アウター兼インナーを着用した時の上面図である。
【発明を実施するための形態】
【００１３】
以下、本発明に係るカップ付アウター兼インナーについて図面を参照しながら説明する。
【００１４】
図１は、本発明に係るカップ付アウター兼インナーの斜視図である。説明のために身頃本体を省略している。図２は、本発明に係るカップ付アウター兼インナーの前側斜視図であり、
図３は、本発明に係るカップ付アウター兼インナーの後側斜視図である。
本発明のカップ付アウター兼インナー（１０）は、左右一対のカップ部（１）と、左右カップ部（１）を連結する中央支持布（２）と、カップ部（１）の左右の縁部からそれぞれ横方向に延びる左右一対の伸縮性の脇布（３）と、左右一対の伸縮性のサイドリフト布（５）と、これらの表面側に配される身頃本体（７）（図１において図示せず）とを有してなり、好ましくは、左右の脇布（３）を連結するとともに着用者の背中の略上半分領域を覆うように配されたバック布（４）を備えている。
【００１５】
左右一対のサイドリフト布（５）は、着用者の肩部近傍で身頃本体（７）と縫着されており（図１のＡ１）、肩部でバック布（４）と脇部で脇布（３）と着用者の胸側で連結されている。そして、左右一対のサイドリフト布（５）は、幅方向の長さ（Ａ４）の略半分の長さ（Ａ５）で左右のカップ部（１）の少なくとも脇側１／３程度（図１の斜線部）を表面側から覆い、カップ部（１）に縫着されている。
図６は、本発明に係るカップ付アウター兼インナーを着用した時の上面図である。サイドリフト布（５）は、身頃本体（７）に対して、縫着部（Ａ１）にてバック布（４）とともに縫着され、さらに端辺（Ａ２）、（Ａ３）が縫着部（Ａ１）から２〜７ｃｍ程度縫合され、他の箇所は縫着されず遊離している。つまり、カップ部をアームホール下部で固定するのではなく、肩近傍から吊るして浮かせる構造となっている。
バック布（４）もまた、身頃本体（７）に対して、縫着部（Ａ１）及び端辺（Ａ６）、（Ａ７）が縫着部（Ａ１）から２〜７ｃｍ程度縫着される。端辺（Ａ６）は身頃本体（７）に対して辺全てに亘って縫着されていてもよい。
【００１６】
図４は本発明に係るカップ付アウター兼インナーを着用した時の正面図である。説明のために、実際には見えない身頃本体の内側も実線で示している。
サイドリフト布（５）（図４のハッチング部）は、着用者の肩近傍の縫着部（Ａ１）を支点として矢印Ｂ方向に伸長し体型に合わせてフィットするとともに、矢印Ｂ方向と反対方向への収縮力により安定した着用感を得ることができる。
【００１７】
また、カップ部（１）は身頃本体（７）に対しサイドリフト布（５）を介して着用者の肩近傍の縫着部（Ａ１、Ａ２、Ａ３）のみで固定され、カップ部（１）及びサイドリフト布（５）がアームホール下部において身頃本体（７）と遊離している。よって、腕を上方向や前方向に動かしたとき等に身頃本体（７）はずれるが、伸縮性のサイドリフト布（５）及びカップ部（１）はその動きとは離れてバストにフィットしているため、脇がつれてしまうことを防止することができる。
【００１８】
バストの形状やサイズは、人によって異なり、また同じ人でも日によってあるいは時間の経過とともに変化する。
図５は本発明に係るカップ付アウター兼インナーを着用した時の側面図である。説明のために、実際には見えない身頃本体の内側も実線で示している。
バストが大きい（大きくなった）場合は、カップ部（１）に図５の矢印Ｃ方向の力が加わる。その時、カップ部（１）に縫着された伸縮性のサイドリフト布（５）は、身頃本体（７）との縫着部（Ａ１）を支点として矢印Ｄ方向に伸長し、これに伴いカップ部（１）は自身の柔軟性もあいまってバストにフィットした状態を維持する。
よって、体型やバスト形状の変化に対応してカップ部を無理なくフィットさせることができ、カップ部の浮きやズレを軽減することができる。
このような効果を得るため、サイドリフト布（５）は伸縮性の素材からなり、パワーネットやメッシュ素材からなることが好ましい。
【００１９】
再び図１を参照する。サイドリフト布（５）は、幅方向の長さ（Ａ４）の略半分の長さ（Ａ５）で左右のカップ部（１）の少なくとも脇側１／３程度（図１の斜線部）を表面側から覆い、カップ部（１）に対し端部（ａ、ｂ、ｃ）のみで縫着される。これにより、脇側へ広がろうとするバストをしっかり寄せて内向きにホールドすることができる。
【００２０】
図６は、本発明に係るカップ付アウター兼インナーを着用した時の上面図であり、左が丸胴タイプ、右が平胴タイプの人が着用したときの図である。下方向がバスト側である。
図に示すように、体の厚みが少ない平胴タイプと奥行きのある丸胴タイプでは、着用時のカップの形状に違いが生まれる。
着用時、サイドリフト布（５）には矢印Ｅ方向に力が加わる。サイドリフト布（５）がその幅方向の長さの略半分の長さでカップ部（１）の脇側１／３程度を表面側から覆いカップ部と縫着されているため、伸縮性のサイドリフト布（５）の矢印Ｅ方向と反対方向への収縮力により、カップ部（１）の脇側を面で支えることとなる。これにより、バストの形状の変化やバストの厚みの違いにもフレキシブルに対応しながら、バストを無理なく寄せることができる。
【００２１】
脇布（３）は、伸縮性の素材からなり、パワーネットからなることが好ましい。この脇布（３）はカップ部（１）を覆うサイドリフト布（５）と連結されているため、さらにカップ部（１）の脇側を面で支えることができ、体の動きに添いながら安定したフィット感を実現できる。
【００２２】
カップ部（１）の素材は、必ずしも限定されず、通常の女性用下着に用いられる素材の中から適宜の素材を選択して用いることができるが、モールドカップが好適に用いられ、中でも柔軟性に優れたモールドカップが好適に用いられる。これにより、柔らかな触感のモールドカップがバストになじんで優しくフィットする。さらに、カップ肌側はメッシュ構造とされることが好ましい。これにより、通気度が高くカップのべたつきやムレを軽減することができる。
【００２３】
脇布（３）及びバック布（４）の下部には、中央支持布（２）の一端部から背中部を介して他端部を連結するように幅広のストレッチテープ（６）が配されていることが好ましい。ストレッチテープ（６）の締付力は着用者が過度な締付感を感じない程度に設定されることが好ましい。バストの下部中央、即ち胃付近を中央支持布（２）で覆いストレッチテープ（６）で締め付けない構造とすることにより、アンダー（胃付近）の締付を軽減しながら安定感を得ることができる。
中央支持布（２）の素材は、必ずしも限定されず、通常の女性用下着に用いられる素材の中から適宜の素材を選択して用いることができるが、メッシュ生地を折り返したものを用いることができる。この中央支持布（２）により、谷間を伝う汗を吸収することができる。
【００２４】
バック布（４）を構成する素材としては、必ずしも限定されず、通常の女性用下着に用いられる素材の中から適宜の素材を選択して用いることができるが、伸縮性に優れた素材を用いることが好ましい。横方向（着用者の身体の幅方向）に伸縮可能な素材を用いることにより、バック布（４）が着用者の体型に応じてフィットすることができる。
また、バック布（４）を構成する素材としては、吸汗性に優れた素材であることが好ましいと言える。特に、背中は、皮脂や汗の分泌が非常に盛んな部分であり、そのため背中の広い領域において汗の吸収が可能なバック布（４）を用いることは、快適な生活を過ごす上で欠かせない。このように、吸汗性のある素材を用いることによって、肌のベタつきや、ブラジャーの上に着用した衣服の汗による汚れを防ぐことができる。
以上のことから、バック布（４）を構成する素材としては、吸汗速乾性のメッシュ素材を例示することができる。
【００２５】
身頃本体（７）の素材は、必ずしも限定されず、通常の女性用下着に用いられる素材の中から適宜の素材を選択して用いることができるが、薄くて透けにくい吸汗速乾ストレッチ素材であることが好ましい。薄くて透けにくい素材を用いることにより、カップ部のラインを目立たなくすることができる。
【産業上の利用可能性】
【００２６】
本発明は、体型やバスト形状の変化に対応しカップの浮きやズレを軽減することができ、脇つれを防止できるカップ付アウター兼インナーに好適に利用される。
【符号の説明】
【００２７】
１    カップ部
２    中央支持布
３    脇布
４    バック布
５    サイドリフト布
６    ストレッチテープ
７    身頃本体
１０  カップ付アウター兼インナー
【図１】
2014125716.tif 000003
【図２】
2014125716.tif 000004
【図３】
2014125716.tif 000005
【図４】
2014125716.tif 000006
【図５】
2014125716.tif 000007
【図６】
2014125716.tif 000008
【手続補正書】
【提出日】平成25年3月1日(2013.3.1)
【手続補正１】
【補正対象書類名】特許請求の範囲
【補正対象項目名】全文
【補正方法】変更
【補正の内容】
【特許請求の範囲】
【請求項１】
左右一対のカップ部と、これら左右カップ部を連結する中央支持布と、前記カップ部の左右の縁部からそれぞれ横方向に延びる左右一対の伸縮性の脇布と、左右一対の伸縮性のサイドリフト布と、身頃本体とを有してなり、
前記左右一対のサイドリフト布は、幅方向の長さの略半分の長さで左右のカップ部の少なくとも脇側１／３程度を表面側から覆うとともにカップ部の上端部、脇側側端部及び下端部のみに縫着され、カップ部の脇側側端部に対してはサイドリフト布の幅方向中央付近で縫着されており、
前記身頃本体は、前記サイドリフト布に対して着用者の肩近傍のみで縫着されていることを特徴とするカップ付アウター兼インナー。
【請求項２】
左右の脇布を連結するとともに着用者の背中の略上半分領域を覆うように配されたバック布を備えることを特徴とする請求項１記載のカップ付アウター兼インナー。
【請求項３】
前記中央支持布の一端部から背中部を介して他端部を連結するように前記脇布及び／又は前記バック布の下部にストレッチテープが配されていることを特徴とする請求項１又は２記載のカップ付アウター兼インナー。
【手続補正２】
【補正対象書類名】明細書
【補正対象項目名】０００６
【補正方法】変更
【補正の内容】
【０００６】
請求項１に係る発明は、左右一対のカップ部と、これら左右カップ部を連結する中央支持布と、前記カップ部の左右の縁部からそれぞれ横方向に延びる左右一対の伸縮性の脇布と、左右一対の伸縮性のサイドリフト布と、身頃本体とを有してなり、前記左右一対のサイドリフト布は、幅方向の長さの略半分の長さで左右のカップ部の少なくとも脇側１／３程度を表面側から覆うとともにカップ部の上端部、脇側側端部及び下端部のみに縫着され、カップ部の脇側側端部に対してはサイドリフト布の幅方向中央付近で縫着されており、前記身頃本体は、前記サイドリフト布に対して着用者の肩近傍のみで縫着されていることを特徴とするカップ付アウター兼インナーに関する。
【手続補正３】
【補正対象書類名】明細書
【補正対象項目名】０００９
【補正方法】変更
【補正の内容】
【０００９】
請求項１に係る発明によれば、左右一対のサイドリフト布が幅方向の長さの略半分の長さで左右のカップ部の少なくとも脇側１／３程度を表面側から覆うとともにカップ部の上端部、脇側側端部及び下端部のみに縫着され、カップ部の脇側側端部に対してはサイドリフト布の幅方向中央付近で縫着されており、身頃本体は、サイドリフト布に対して着用者の肩近傍のみで縫着されていることにより、体型やバスト形状の変化に対応し、無理なくバストにフィットしてカップの浮きやズレを軽減することができ、さらにバストをしっかり寄せて内向きにホールドすることができる。また、カップ部を身頃本体に対しサイドリフト布を介して着用者の肩近傍のみで固定し、カップ部がアームホール下部において身頃本体と遊離しているため、腕を動かしたとき等に生じる脇つれを防止することができる。
カップ部の左右の縁部からそれぞれ横方向に延びる左右一対の伸縮性の脇布と、この脇布に連結されカップ部と縫着されたサイドリフト布とにより、体の動きに添いながらカップ脇側を面で支え、安定したフィット感を実現することができる。
【手続補正４】
【補正対象書類名】明細書
【補正対象項目名】００１９
【補正方法】変更
【補正の内容】
【００１９】
再び図１を参照する。サイドリフト布（５）は、幅方向の長さ（Ａ４）の略半分の長さ（Ａ５）で左右のカップ部（１）の少なくとも脇側１／３程度（図１の斜線部）を表面側から覆い、カップ部（１）に対し上端部（ａ）、脇側側端部（ｂ）、下端部（ｃ）のみで縫着される。これにより、脇側へ広がろうとするバストをしっかり寄せて内向きにホールドすることができる。
【手続補正５】
【補正対象書類名】明細書
【補正対象項目名】００２７
【補正方法】変更
【補正の内容】
【００２７】
１    カップ部
２    中央支持布
３    脇布
４    バック布
５    サイドリフト布
６    ストレッチテープ
７    身頃本体
１０  カップ付アウター兼インナー
ａ    上端部
ｂ    脇側側端部
ｃ    下端部